(57)【要約】      （修正有）【課題】腰部に安定的に配置し衣服の裏側に差し込んだり取り出すことを容易に行うことができるウエストポーチを提供する。【解決手段】ズボン５の腰部に装着するベルト６やウエストバンド７に取付具を介してポーチ本体１が取り付けられるようにしたウエストポーチであって、前記取付具が筒状のベルト通し１２からなり、前記ポーチ本体１の上端縁から上方に中間帯体１１が一体延設され、該中間帯体１１の上端縁に前記ベルト通し１２の下端縁が一体形成されており、ベルト通し１２の通し孔にベルト６を通し、中間帯体１１をベルト通し１２の表面側に折り重ねてポーチ本体１をズボン５の裏側に差し込むようにする。【選択図】図１
0003156723.tif 000002
【実用新案登録請求の範囲】
【請求項１】
衣服の腰部に装着するベルトやウエストバンドに取付具を介してポーチ本体が取り付けられるようにしたウエストポーチであって、前記取付具が筒状のベルト通しからなり、前記ポーチ本体の上端縁から上方に中間帯体が一体延設され、該中間帯体の上端縁に前記ベルト通しの下端縁が一体形成されており、ベルト通しの通し孔にベルトを通し、中間帯体をベルト通しの表面側に折り重ねてポーチ本体を衣服の裏側に差し込むようにしてなるウエストポーチ。
【請求項２】
前記中間帯体の裏面に厚手の繊維からなる平帯状横テープの中央部が縫着され、該横テープの両端にジョイントホルダが連結されており、その各ジョイントホルダのホルダ孔にベルトを通すようにしてなる請求項１に記載のウエストポーチ。
【請求項３】
前記横テープの両端にクリップが連結されており、該各クリップをウエストバンドに係止するようにしてなる請求項２に記載のウエストポーチ。
【請求項４】
衣服の腰部に装着するベルトやウエストバンドに取付具を介してポーチ本体が取り付けられるようにしたウエストポーチであって、前記取付具が左右一対のクリップからなり、前記ポーチ本体の上端縁から上方に中間帯体が一体延設され、厚手の繊維からなる左右一対の平帯状縦テープの下端が前記中間帯体の裏面に縫着され、該各縦テープの上端に前記各クリップが連結されており、該各クリップをウエストバンドに係止し、各縦テープを折り曲げてポーチ本体を衣服の裏側に差し込むようにしてなるウエストポーチ。
【請求項５】
前記中間帯体の上端縁に筒状のベルト通しの下端縁が一体形成されており、該ベルト通しの通し孔にベルトを通すようにしてなる請求項４に記載のウエストポーチ。
【請求項６】
前記中間帯体の裏面に厚手の繊維からなる平帯状横テープの中央部が縫着され、該横テープの両端にジョイントホルダが連結されており、その各ジョイントホルダのホルダ孔にベルトを通すようにしてなる請求項５に記載のウエストポーチ。
【考案の詳細な説明】
【技術分野】
【０００１】
本考案は、ウエストポーチに関し、特に、腰部に安定的に配置し衣服の裏側に差し込んだり取り出すことを容易に行うことができるようにしたものである。
【背景技術】
【０００２】
従来、ウエストポ−チの一例として図９の斜視図に示すものがあり、これは、パスポートや現金などの収納物を収納するためのポーチ本体１を有し、該ポーチ本体１に連結した厚手の繊維からなる平帯状の２本の腰帯２，３と、その両腰帯２，３の先端どうしを着脱可能に連結するための雄部４ａ及び雌部４ｂからなる連結用バックル４とを備えており、ポーチ本体１をズボン（またはスカートなどの衣服）５の腰部に装着する場合には、両腰帯２，３を腰部に巻き付け、連結用バックル４の雄部４ａと雌部４ｂとを連結する。図９中、６はバックルＢ付きベルトであって、ズボン５の上端のウエストバンド７に縫着したベルト通し８に通されている。
【０００３】
上記構成によれば、例えば用便のためにトイレに入った場合に、連結用バックル４の雄部４ａと雌部４ｂとの連結を解除し、ポーチ本体１を腰部から外して横に置くことになるが、そのとき、そのポーチ本体１をトイレ内に置き忘れるおそれがある。
【０００４】
そこで、特許文献１に記載しているように、腰帯２，３及び連結用バックル４に代えて取付具をポーチ本体１の上端中央に連結し、その取付具でポーチ本体１をベルト６やウエストバンド７に取り付けることも考えられている。
【先行技術文献】
【特許文献】
【０００５】
【特許文献１】特開２００１−２９２８２１号公報
【考案の概要】
【考案が解決しようとする課題】
【０００６】
上記従来の構成では、取付具がポーチ本体１の上端中央に連結されているだけであるから、その取付具を介してズボン５の外側に取り付けたポーチ本体１が不測に揺れて腰部に安定的に配置しておくことが困難であり、また、ポーチ本体１をズボン５の裏側に差し込んだり、その裏側からポーチ本体１を取り出したりする場合に、手間がかかって面倒である。
【０００７】
本考案は、上記従来の欠点に鑑み、腰部に安定的に配置し衣服の裏側に差し込んだり取り出すことを容易に行うことができるようにしたウエストポーチを提供することを目的としている。
【課題を解決するための手段】
【０００８】
上記目的を達成するため、請求項１に記載の考案は、衣服５の腰部に装着するベルト６やウエストバンド７に取付具を介してポーチ本体１が取り付けられるようにしたウエストポーチであって、前記取付具が筒状のベルト通し１２からなり、前記ポーチ本体１の上端縁から上方に中間帯体１１が一体延設され、該中間帯体１１の上端縁に前記ベルト通し１２の下端縁が一体形成されており、ベルト通し１２の通し孔１２ａにベルト６を通し、中間帯体１１をベルト通し１２の表面側に折り重ねてポーチ本体１を衣服５の裏側に差し込むようにしてなる構成を採用するものである。
【０００９】
請求項２に記載の考案は、請求項１に記載の考案において、前記中間帯体１１の裏面に厚手の繊維からなる平帯状横テープ１３の中央部が縫着され、該横テープ１３の両端にジョイントホルダ１４が連結されており、その各ジョイントホルダ１４のホルダ孔１４ｃにベルト６を通すようにしてなる構成を採用するものである。
【００１０】
請求項３に記載の考案は、請求項２に記載の考案において、前記横テープ１３の両端にクリップ１５が連結されており、該各クリップ１５をウエストバンド７に係止するようにしてなる構成を採用するものである。
【００１１】
請求項４に記載の考案は、衣服５の腰部に装着するベルト６やウエストバンド７に取付具を介してポーチ本体１が取り付けられるようにしたウエストポーチであって、前記取付具が左右一対のクリップ１５からなり、前記ポーチ本体１の上端縁から上方に中間帯体１１が一体延設され、厚手の繊維からなる左右一対の平帯状縦テープ１８の下端が前記中間帯体１１の裏面に縫着され、該各縦テープ１８の上端に前記各クリップ１５が連結されており、該各クリップ１５をウエストバンド７に係止し、各縦テープ１８を折り曲げてポーチ本体１を衣服５の裏側に差し込むようにしてなる構成を採用するものである。
【００１２】
請求項５に記載の考案は、請求項４に記載の考案において、前記中間帯体１１の上端縁に筒状のベルト通し１２の下端縁が一体形成されており、該ベルト通し１２の通し孔１２ａにベルト６を通すようにしてなる構成を採用するものである。
【００１３】
請求項６に記載の考案は、請求項５に記載の考案において、前記中間帯体１１の裏面に厚手の繊維からなる平帯状横テープ１３の中央部が縫着され、該横テープ１３の両端にジョイントホルダ１４が連結されており、その各ジョイントホルダ１４のホルダ孔１４ｃにベルト６を通すようにしてなる構成を採用するものである。
【考案の効果】
【００１４】
請求項１に記載の考案によれば、ベルト通し１２の通し孔１２ａにベルト６を通すことにより、ポーチ本体１を腰部に不測に揺れないように安定的に配置することができ、例えば用便のためにトイレに入った場合に、ポーチ本体１を腰部から外して横に置く必要がなく、そのポーチ本体１をトイレ内に置き忘れるおそれがない。
【００１５】
また、ポーチ本体１とベルト通し１２との間に中間帯体１１を設けているので、該中間帯体１１をベルト通し１２の表面側に折り重ねることにより、ポーチ本体１を衣服５の裏側に容易に差し込むことができると共に、その裏側からポーチ本体１を容易に取り出すことができる。
【００１６】
請求項２に記載の考案によれば、ポーチ本体１に横テープ１３を介して連結した各ジョイントホルダ１４のホルダ孔１４ｃにベルト６を通すことにより、そのポーチ本体１をベルト６に一層確実に取り付けることができる。
【００１７】
請求項３に記載の考案によれば、ポーチ本体１に横テープ１３を介して連結した各クリップ１５をウエストバンド７に係止することにより、例えば衣服５を脱ぐためベルト６を緩めたときに、そのベルト６に沿ってポーチ本体１が滑って脱落するのを阻止することができる。
【００１８】
請求項４に記載の考案によれば、ポーチ本体１に中間帯体１１及び各縦テープ１８を介して連結した左右一対のクリップ１５をウエストバンド７に係止することにより、ポーチ本体１を腰部に不測に揺れないように安定的に配置することができ、例えば用便のためにトイレに入った場合に、ポーチ本体１を腰部から外して横に置く必要がなく、そのポーチ本体１をトイレ内に置き忘れるおそれがない。
【００１９】
また、各縦テープ１８を折り曲げることにより、前記ポーチ本体１を衣服５の裏側に容易に差し込むことができると共に、その裏側からポーチ本体１を容易に取り出すことができる。
【００２０】
請求項５に記載の考案によれば、ベルト通し１２の通し孔１２ａにベルト６を通すことにより、ポーチ本体１を腰部に不測に揺れないように安定的に配置することができる。
【００２１】
請求項６に記載の考案によれば、ポーチ本体１に中間帯体１１及び横テープ１３を介して連結した各ジョイントホルダ１４のホルダ孔１４ｃにベルト６を通すことにより、そのポーチ本体１をベルト６に一層確実に取り付けることができる。
【図面の簡単な説明】
【００２２】
【図１】（ａ）は本考案の第１の実施の形態であるウエストポーチをベルトに取り付けた状態を示す概略正面図、（ｂ）は同中間帯体をベルト通しの表面側に折り重ねた状態を示す概略正面図、（ｃ）は同ポーチ本体を衣服の裏側に差し込んだ状態を示す概略正面図である。
【図２】同ウエストポーチの正面図である。
【図３】同縦断面図である。
【図４】同横断面図である。
【図５】（ａ）は本考案の第２の実施の形態であるウエストポーチをベルトに取り付けた状態を示す概略正面図、（ｂ）は同ポーチ本体を引っ繰り返して持ち上げた状態を示す概略正面図、（ｃ）は同ポーチ本体を衣服の裏側に差し込んだ状態を示す概略正面図である。
【図６】同ウエストポーチの裏面図である。
【図７】同縦断面図である。
【図８】同横断面図である。
【図９】従来のウエストポ−チの取付状態の一例を示す斜視図である。
【考案を実施するための形態】
【００２３】
図１〜図４は本考案の第１の実施の形態であるウエストポーチを示すものであって、適当数（この実施の形態では２つ）のポケット１０を内蔵する合成繊維や天然繊維または皮革などの柔軟で丈夫な素材で形成された正面視矩形状のポーチ本体１を有し、該ポーチ本体１の上端縁から上方に正面視略台形の中間帯体１１が一体延設され、該中間帯体１１の上端縁に横長で筒状のベルト通し（取付具）１２の下端縁が一体形成されており、ベルト通し１２の通し孔１２ａにベルト６を通して、ポーチ本体１をベルト６に吊り下げる〔図１（ａ）参照〕。なお、各ポケット１０の開口部にファスナー１０ａが設けられている。上記以外の構成で図９に示す構成と同一部分に同一符号を付してその説明を省略する。
【００２４】
図２に示すように、ベルト通し１２の横幅ｈ１に対して中間帯体１１の横幅ｈ２を同程度に設定しており、中間帯体１１の上端縁近傍の上側折り曲げ線Ｓ１を中心にして該中間帯体１１を上方に折り曲げることにより、その中間帯体１１をベルト通し１２の表面側に折り重ねる〔図１（ｂ）参照〕。また、中間帯体１１の下端縁近傍の下側折り曲げ線Ｓ２を中心にしてポーチ本体１を上側に折り曲げることにより、そのポーチ本体１をズボン（衣服）５の裏側に差し込む〔図１（ｃ）参照〕。
【００２５】
図２及び図４に示すように、前記中間帯体１１の裏面に厚手の繊維からなる平帯状横テープ１３の中央部が縫着され、該横テープ１３の両先端を中間帯体１１に縫着することにより、その横テープ１３の両端がループ状に形成され、そのループ内に形成した連結孔１３ａにカラナビと称するジョイントホルダ１４を挿通することにより、一対のジョイントホルダ１４が横テープ１３の両端に連結され、該各ジョイントホルダ１４は、略Ｃ字状ホルダ本体１４ａと、該ホルダ本体１４ａの開口部に配置され常時閉鎖方向にばねで付勢された開閉杆１４ｂとにより形成されており、ベルト通し１２に通すベルト６を各ジョイントホルダ１４のジョイント孔１４ｃにも通すことにより、ポーチ本体１をベルト６に一層確実に取り付けることができる。
【００２６】
図２及び図４に示すように、一対のクリップ１５が横テープ１３の両端に連結され、該各クリップ１５は、クリップ本体１５ａと、該クリップ本体１５ａに枢着軸１５ｂを介して回動可能に枢着されたクリップ先端部１５ｃと、該クリップ先端部１５ｃを回動させるための操作部１５ｄとを有し、前記クリップ本体１５ａがロ字状連結環１６を介して横テープ１３の両端部に連結されており、ウエストバンド７の上端縁をクリップ本体１５ａとクリップ先端部１５ｃとの間に差し込み、操作部１５ｄを押し込んでクリップ先端部１５ｃを回動させることにより、そのクリップ先端部１５ｃとクリップ本体１５ａとでウエストバンド７の上端縁を挟み付けるようになっており、これによって、例えばズボン５を脱ぐためベルト６を緩めたときに、そのベルト６に沿ってポーチ本体１が滑って脱落するのを阻止することができる。
【００２７】
ウエストポーチの取付手順を説明すると、図１（ａ）に示すように、緩めたベルト６を各ジョイントホルダ１４及びベルト通し１２に通すと共に、各クリップ１５をウエストバンド７の上端に係止し、ベルト６を締めつけてポーチ本体１を腰部に取り付け、図１（ｂ）に示すように、中間帯体１１を上側折り曲げ線Ｓ１を中心に上方に折り曲げてベルト通し１２の表面側に折り重ね、図１（ｃ）に示すように、ポーチ本体１を下側折り曲げ線Ｓ２を中心に折り曲げてズボン５の裏側に差し込む。
【００２８】
上記構成によれば、ポーチ本体１を腰部に不測に揺れないように安定的に配置することができ、例えば用便のためにトイレに入った場合に、ポーチ本体１を腰部から外して横に置く必要がなく、そのポーチ本体１をトイレ内に置き忘れるおそれがない。
【００２９】
また、ポーチ本体１とベルト通し１２との間に中間帯体１１を設けているので、該中間帯体１１をベルト通し１２の表面側に折り重ねることにより、ポーチ本体１をズボン５の裏側に容易に差し込むことができると共に、その裏側からポーチ本体１を容易に取り出すことができる。
【００３０】
図５〜図８は本考案の第２の実施の形態であるウエストポーチを示すものであって、基本形態は図１〜図４に示す第１の実施の形態とほぼ同じであるから、同一部分に同一符号を付してその説明を省略し、相違点だけを説明すると、厚手の繊維からなる左右一対の平帯状縦テープ１８を二つ折りしてその下端を横テープ１３と中間帯体１１とに間に縫着することにより、該各縦テープ１８がループ状に形成され、左右一対のクリップ（取付具）１５が各縦テープ１８の上端に連結環１６を介して連結されている。
【００３１】
ウエストポーチの取付手順を説明すると、図５（ａ）に示すように、各縦テープ１８を略Ｕ字状に折り曲げ（図７仮想線参照）、各クリップ１５をウエストバンド７の上端に係止することにより、ポーチ本体１を腰部に取り付け、図５（ｂ）に示すように、ポーチ本体１を持ち上げ、上側折り曲げ線Ｓ１を中心にベルト通し１２を折り曲げてポーチ本体１に折り重ね、図５（ｃ）に示すように、各縦テープ１８を上記とは逆方向に略Ｕ字状に折り曲げてズボン５の裏側に差し込む。
【００３２】
上記構成によれば、図１〜図４に示す第１の実施の形態と同様に、ポーチ本体１を腰部に不測に揺れないように安定的に配置することができ、例えば用便のためにトイレに入った場合に、ポーチ本体１を腰部から外して横に置く必要がなく、そのポーチ本体１をトイレ内に置き忘れるおそれがない。
【００３３】
また、各縦テープ１８を折り曲げることにより、ポーチ本体１をズボン５の裏側に容易に差し込むことができると共に、その裏側からポーチ本体１を容易に取り出すことができる。
【００３４】
ベルト６を各ジョイントホルダ１４及びベルト通し１２に通す場合の手順及び作用効果は図１〜図４に示す第１の実施の形態とほぼ同じであるから、その説明を省略する。
【符号の説明】
【００３５】
１        ポーチ本体
５        ズボン（衣服）
６        ベルト
７        ウエストバンド
１１      中間帯体
１２      ベルト通し（取付具）
１２ａ    ベルト通しの通し孔
１３      横テープ
１４      ジョイントホルダ
１４ｃ    ジョイントホルダのホルダ孔
１５      クリップ（取付具）
１８      縦テープ
【図１】
0003156723.tif 000003
【図２】
0003156723.tif 000004
【図３】
0003156723.tif 000005
【図４】
0003156723.tif 000006
【図５】
0003156723.tif 000007
【図６】
0003156723.tif 000008
【図７】
0003156723.tif 000009
【図８】
0003156723.tif 000010
【図９】
0003156723.tif 000011